(57)【特許請求の範囲】
【請求項１】
円筒状に形成されているマイクロホングリップを被保持体とするマイクロホンホルダーにおいて、
上記マイクロホングリップの外周面に沿って配置される円弧状の保持フレームと、上記保持フレームの少なくとも一端側に回動可能に連結されたクランプアームとを有し、上記クランプアームは、上記マイクロホングリップの軸線方向に沿って配置される一対のアーム本体と、上記アーム本体同士を連結するように架け渡される複数の連結軸とを備え、上記連結軸の１つが上記保持フレームに対する上記クランプアームの回動軸を兼ねており、
上記クランプアームを開くことにより、上記保持フレームの内側に上記マイクロホングリップが導入可能な開口部が形成され、上記クランプアームを閉じることにより、上記保持フレームと上記クランプアームとによって上記マイクロホングリップの外周面の周長の１／２以上が保持されることを特徴とするマイクロホンホルダー。
【請求項２】
上記保持フレームは、上記マイクロホングリップの外周面に沿って配置され、上記外周面の周長の１／２以下の円周長を有する円弧状に形成されており、その両端に上記クランプアームが回動軸を介して連結されており、上記各クランプアームは、上記保持フレームの曲率と同曲率の円弧状に形成され、そのほぼ中央に上記回動軸が配置されており、上記各クランプアームの先端から上記回動軸に至るまでの円周長と、上記保持フレームの円周長との和が、上記マイクロホングリップの円周長の１／２以上であることを特徴とする請求項１に記載のマイクロホンホルダー。
【請求項３】
上記クランプアームは、閉じた状態のとき、その一部が上記保持フレームの一部と互いに重なり合うように配置され、その互いに対向する面には、上記クランプアームを閉じた状態で保持するロック手段としての一対のマグネットが異極同士が対向するように設けられていることを特徴とする請求項１または２に記載のマイクロホンホルダー。
【請求項４】
少なくとも上記クランプアームの両端には、上記マイクロホングリップの外周面に接触する防振材が設けられていることを特徴とする請求項１ないし３のいずれか１項に記載のマイクロホンホルダー。
【請求項５】
所定のマイクロホンスタンドに取り付けるためのマイクロホンマウンタを有し、上記保持フレームが、ゴム紐状の制振部材を介して上記マイクロホンマウンタに宙づり状態で保持されることを特徴とする請求項１ないし４のいずれか１項に記載のマイクロホンホルダー。』
【発明の詳細な説明】
【技術分野】
【０００１】
本発明は、円筒状に形成されているマイクロホングリップを軽快な操作で簡単かつ確実に保持することができるマイクロホンホルダーに関するものである。
【背景技術】
【０００２】
円筒体を被保持体とする保持具の一例としてマイクロホンホルダーがある。マイクロホンを所定の位置で保持する場合には、一般的にマイクロホンスタンドが用いられる。マイクロホンスタンドは、床などの被設置面上に設置されるスタンド本体を備え、その先端にマイクロホンを保持するマイクロホンホルダーが取り付けられている。
【０００３】
マイクロホンホルダーは、用途に応じて様々な形態があるが、最もポピュラーなタイプとしては、例えば特許文献１に記載されているように、断面Ｃ字状に形成された弾性変形可能な挟持部を備え、その開口部からマイクロホンのグリップを押し込むことにより、弾性的に狭持するものがよく知られている。
【０００４】
しかしながら、この種のマイクロホンホルダーは、挟持部の開口部を押し広げてグリップを装着する強制嵌合方式で、強い押し込み力を要するため、操作性がよくない。また、開口部にグリップを押し付けて強制的に嵌合した際にマイクロホンホルダーとグリップとが衝撃的に衝突し、それによって生じる衝突音をマイクロホンで拾ってしまうことがある。
【０００５】
そこで、頻繁にマイクロホンを着脱する例えば手持ちマイクロホン用途のマイクロホンホルダーでは、その内面に粘弾性を有するエンジニアリングプラスチック材などからなる衝撃緩和材を貼着するようにしているが、コスト的に好ましくないし、経年的に剥がれが生ずるといった問題もある。
【０００６】
なお、これ以外にも上述したマイクロホングリップに相当する円筒体として、例えば懐中電灯や各種グリップ類を保持する保持装置にも同様に、強制嵌合方式であるが故に、強い押し込み力を要するため、操作性がよくないという問題がある。
【先行技術文献】
【特許文献】
【０００７】
【特許文献１】実用新案登録第３０９３５９４号公報
【発明の概要】
【発明が解決しようとする課題】
【０００８】
したがって、本発明の課題は、マイクロホングリップを軽快な操作により、簡単かつ確実に保持できるようにしたマイクロホンホルダーを提供することにある。
【課題を解決するための手段】
【０００９】
上述した課題を解決するため、本発明は、円筒状に形成されているマイクロホングリップを被保持体とするマイクロホンホルダーにおいて、上記マイクロホングリップの外周面に沿って配置される円弧状の保持フレームと、上記保持フレームの少なくとも一端側に回動可能に連結されたクランプアームとを有し、上記クランプアームは、上記マイクロホングリップの軸線方向に沿って配置される一対のアーム本体と、上記アーム本体同士を連結するように架け渡される複数の連結軸とを備え、上記連結軸の１つが上記保持フレームに対する上記クランプアームの回動軸を兼ねており、上記クランプアームを開くことにより、上記保持フレームの内側に上記マイクロホングリップが導入可能な開口部が形成され、上記クランプアームを閉じることにより、上記保持フレームと上記クランプアームとによって上記マイクロホングリップの外周面の周長の１／２以上が保持されることを特徴としている。
【００１０】
より好ましい態様として、上記保持フレームは、上記マイクロホングリップの外周面に沿って配置され、上記外周面の周長の１／２以下の円周長を有する円弧状に形成されており、その両端に上記クランプアームが回動軸を介して連結されており、上記各クランプアームは、上記保持フレームの曲率と同曲率の円弧状に形成され、そのほぼ中央に上記回動軸が配置されており、上記各クランプアームの先端から上記回動軸に至るまでの円周長と、上記保持フレームの円周長との和が、上記マイクロホングリップの円周長の１／２以上である。
【００１２】
また、上記クランプアームは、閉じた状態のとき、その一部が上記保持フレームの一部と互いに重なり合うように配置され、その互いに対向する面には、上記クランプアームを閉じた状態で保持するロック手段としての一対のマグネットが異極同士が対向するように設けられることが好ましい。
【００１４】
より好ましい態様として、少なくとも上記クランプアームの両端には、上記マイクロホングリップに接触する防振材が設けられる。
【００１６】
また、このマイクロホンホルダーは、所定のマイクロホンスタンドに取り付けるためのマイクロホンマウンタを有し、上記保持フレームが、ゴム紐状の制振部材を介して上記マイクロホンマウンタに宙づり状態で保持されて使用されることが好ましい。
【発明の効果】
【００１７】
本発明によれば、各クランプアームを開いた状態で、それらの間にマイクロホングリップを押し入れることにより、各クランプアームの後端がマイクロホングリップにて押されて、先端が閉じる方向に回動するため、衝突音等を発生させることなく、軽快な操作でマイクロホンをより簡単かつ確実に保持することができる。
【００１８】
また、上記保持フレームと上記クランプアームとの間には、上記クランプアームを閉じた状態に保持する固定手段が設けられていることにより、マイクロホンを長時間にわたって保持することができる。
【００１９】
さらに、上記保持フレームと上記クランプアームの互いに対向する面には、上記固定手段として一対のマグネットが埋設されており、上記マグネット同士が互いに対向する位置で、上記保持フレームと上記クランプアームとが固定されることにより、マグネットの磁着力を利用してクランプアームを固定することができる
【００２０】
また、上記クランプアームは、マイクロホングリップの軸線方向に沿って配置される一対のアーム本体と、上記アーム本体同士を連結するように架け渡される複数の連結軸とからなるラダーフレーム構造を備え、上記連結軸の１つが上記クランプアームの回動軸を兼ねていることにより、マイクロホングリップ全体を把持することができ、より安定した状態で保持することができる。
【００２１】
また、少なくとも上記クランプアームの両端には、マイクロホングリップに接触する防振材が設けられていることにより、マイクロホンに振動や衝撃が入力されることを防止できる。
【００２２】
さらには、マイクロホンスタンドに上記マイクロホンを取り付けるためのスタンドベースを有し、上記スタンドベースに上記保持フレームが上記制振部材を介して宙づりした状態で保持されることにより、スタジオ録音などの精密録音環境に適用できる。
【図面の簡単な説明】
【００２３】
【図１】本発明の一実施形態に係るマイクロホンホルダーの（ａ）正面図および（ｂ）側面図。
【図２】上記マイクロホンホルダーの斜視図。
【図３】上記マイクロホンホルダーの（ａ）クランプアームを閉じた状態の正面図および（ｂ）クランプアームを開いた状態の正面図。
【図４】上記マイクロホンホルダーを平面状に展開した状態での断面図。
【発明を実施するための形態】
【００２４】
次に、図１ないし図４により、本発明の実施形態について説明するが、本発明はこれに限定されるものではない。
【００２６】
図１に示すように、この実施形態に係るマイクロホンホルダー１は、円筒状のグリップＧを有するマイクロホンＭを保持する円筒体の保持装置であって、好ましくは、図示しないマイクロホンスタンドに対して取り付けられるマイクロホンマウンタ２に防振用のゴム紐４を介して宙づりにした状態で用いられる。マイクロホングリップＧは、単なる円筒状ではなく、円錐状に形成されていてもよい。
【００２７】
マイクロホンマウンタ２は、マイクロホンスタンドの例えば先端に取り付けられるベース２１と、ベース２１に回動可能に取り付けられるハンガー部２２とを備え、それらが回転軸２３を中心に回動可能に連結されている。
【００２８】
ベース２１は、硬質樹脂の成型品からなり、その底部（図１（ｂ）では右側面）には、マイクロホンスタンド側に設けられた雄ネジに螺合される雌ねじ孔（ともに図示しない）が設けられている。
【００２９】
ハンガー部２２は、同じく硬質樹脂製の成型品からなり、マイクロホンホルダー１の外周側に沿って所定の間隔をもって配置される断面Ｃ字型の筐体を備えている。図１（ｂ）に示すように、ハンガー部２２の両辺には、それぞれゴム紐４が引っ掛けられるフック部２４が、この例では４個所設けられており、マイクロホンホルダ１はゴム紐４を介してハンガー部２２内に宙づりで保持される。
【００３０】
ハンガー部２２は、これ以外に鋼材で作製して、その表面に制振材を貼り合わせた構造であってもよいし、鋼板と樹脂とを組み合わせた構造であってもよく、その具体的な形態や仕様については、任意であってよい。
【００３１】
なお、マイクロホンマウンタ２はマイクロホンホルダー１を宙づりで保持することが可能であればよく、その具体的な形状は任意であってよい。また、ゴム紐４も、マイクロホンホルダー１を宙づりできる適度な伸縮性と、ノイズの入力を抑制する制振性を有する弾性体からなる紐状であれば、その材質や形状等は仕様に応じて任意に選択されてよい。
【００３２】
次に、図２〜図４を併せて参照して、この実施例に係るマイクロホンホルダー１は、マイクロホンが備えているマイクロホングリップＧの外周面に沿って配置されるように形成された断面Ｃ字状の保持フレーム５と、保持フレーム５の両端に回動自在に取り付けられた一対のクランプアーム６，６とを備えている。
【００３３】
保持フレーム５は、マイクロホングリップＧの軸線方向に沿って所定の間隔をもって対向的に配置される一対のフレーム本体５１，５１を有し、このフレーム本体５１，５１同士を、例えば３本の連結軸５２で連結した、いわゆるラダーフレーム構造を備えている。
【００３４】
保持フレーム５を構成するフレーム本体５１，５１は、その円周長がマイクロホングリップＧの円周長の１／２以下となるように形成された円弧状に形成されている。この例では、円周長の１／２としている。
【００３５】
この例において、３本の連結軸５２は、フレーム本体５１の両端（５２ｂ，５２ｂ）と中央（５２ａ）でネジ止めによって固定されているが、各連結軸５２の数および固定位置は、仕様に応じて任意に選択されてよい。
【００３６】
図４に示すように、各フレーム本体５１，５１の外側面には、ゴム紐４をマイクロホンホルダー１に引っ掛けるためのフック棒５３がそれぞれ３個所に設けられている。各フック棒５３は、連結軸５２をフレーム本体５１に固定するネジ５４とともに、フレーム本体５１の外側面に一体的に固定されている。
【００３７】
各連結軸５２のうち、中央の連結軸５２ａには、マイクロホングリップＧに接触する防振材としての防振リング５５が取り付けられている。防振リング５５は、例えば弾性ゴム材などからなるリング体であって、この例では、連結軸５２ａの両端側に設けられているが、連結軸５２ａの中央部分に設けられてもよい。
【００３８】
この例において、防振リング５５は、連結軸５２ａの両端に設けられているが、連結軸５２ａにマカロニ状に形成された防振リング５５を差し込んで、全体を被覆するように設けてもよいし、連結軸５２ａの表面に一体的に形成されてもよい。
【００３９】
次に、各クランプアーム６は、マイクロホングリップＧの軸線方向に沿って配置される一対のアーム本体６１，６１と、アーム本体６１，６１同士を連結する複数の連結軸６２とを備えている。
【００４０】
アーム本体６１，６１は、上述したフレーム本体５１と同じ曲率の円弧状に形成されており、この例では、保持フレーム５の円周長よりも短い円周長となるように形成されている。
【００４１】
連結軸６２は、アーム本体６１，６１の両端（６２ｂ，６２ｂ）と、中央（６２ａ）とに設けられているが、この例において、中央の連結軸６２ａは、上述したフレーム本体５１の両端を連結する連結軸５２ｂが兼用されており、この連結軸５２ｂ（６２ａ）を回動軸として、各クランプアーム６は、保持フレーム５の両端に回動可能に連結されるようになっている。
【００４２】
この例において、回動軸６２ａは、クランプアーム６のほぼ中央に設けられているが、その回動位置はクランプアーム６の先端６ａから後端６ｂにかけての中間に設けられていればよい。
【００４３】
クランプアーム６の両端の連結軸６２ｂ，６２ｂには、マイクロホングリップＧに接触する防振材としての防振リング６３が取り付けられている。この例において、防振リング６３は、上述した保持フレーム５の防振リング５５と実質的に同一であり、連結軸６２ｂ，６２ｂの軸線方向の両端側に設けられている。
【００４４】
本発明では、図３（ａ）に示すように、保持フレーム５とクランプアーム６とが同じ曲率の円弧状に形成され、保持フレーム５の両端にクランプアーム６の中間部分が連結軸５２ｂ（６２ａ）を介して回動可能に取り付けられていることにより、各クランプアーム６，６の先端６ａから回動軸６２ａに至るまでの円周長と、保持フレーム５の円周長との和が、マイクロホングリップＧの円周長の１／２以上となる。
【００４５】
したがって、クランプアーム６，６が閉じた状態では、保持フレーム５とクランプアーム６とによって、マイクロホングリップＧの外周面が周長にして１／２以上にわたって保持されるため抜け落ちることがない。
【００４６】
また、図３（ｂ）に示すように、各クランプアーム６，６の先端６ａを外側に開くことにより、マイクロホンホルダー１の開口幅ＷがマイクロホングリップＧの直径をＤよりも大きくなるため、マイクロホングリップＧを、その軸線と直交する方向からマイクロホンホルダー１にスムーズに出し入れできる。
【００４７】
図４に示すように、保持フレーム５とクランプアーム６，６との互いに重なり合う部分には、クランプアーム６，６を閉じた状態に保持するためのロック手段７が設けられている。
【００４８】
この実施形態において、ロック手段７は、各クランプアーム６，６が閉じられた状態のとき（図３（ａ）参照）、互いに対向する用に形成された保持フレーム５側の凹部７１と、クランプアーム６側にも形成された凹部７１とに配置された一対のマグネット７２，７２からなる。
【００４９】
この例において、マグネット７２，７２は、強力な磁着力を生むネオジウムマグネットが用いられており、異極面同士が互いに対向するように配置されている。
【００５０】
これによれば、保持フレーム５に沿ってクランプアーム６が重なり合った状態、すなわち、クランプアーム６，６が閉じた状態になると、各マグネット７２，７２同士が対向して、異極同士が引き寄せられることにより、その磁気的な吸着力によってクランプアーム６，６が閉じた状態で保持される。
【００５１】
次に、このマイクロホンホルダー１の使用手順の一例を説明すると、まず、マイクロホンホルダー１の各フック棒５３にゴム紐４を引っ掛けたのち、さらにマイクロホンマウンタ２のフック部２４にゴム紐４を引っ掛けてマイクロホンホルダー１が宙づりとなるように装着する。
【００５２】
次に、各クランプアーム６，６の先端６ａをマグネット７２，７２の磁着力に抗するように外側に押し広げる。これに伴い、回動軸５２ａを中心にクランプアームが回動し、各クランプアーム６，６の後端６ｂが保持フレーム５の内側に向かって張り出す。
【００５３】
各クランプアーム６，６の先端６ａの押し広げられた開口部からマイクロホンを保持フレーム５の中央に向かって押し込む。
【００５４】
マイクロホンＭがクランプアーム６，６の後端６ｂに当接し、さらに押し下げることで、クランプアーム６，６の先端６ａが閉じる。しかるのち、マグネット７２，７２が対向する位置までクランプアーム６，６が到来すると、マグネット７２，７２の磁着力によってクランプアーム６，６が固定される。
【００５５】
この例において、マイクロホンホルダー１は、スタジオ録音用の大径なコンデンサマイクロホンを保持するタイプの構造について例示したが、例えば一般的なダイナミックマイクロホンやコンデンサマイクロホンなども用いることができる。
【００５６】
また、この例において、マイクロホンホルダー１は、ゴム紐４を介してマイクロホンマウンタ２に宙づりされているが、マイクロホンホルダー１単体でマイクロホンスタンドに取り付けられるような態様であってもよい。
【００５７】
この例において、マイクロホンホルダー１は、マイクロホンＭを水平に保持する場合について例示したが、マイクロホンホルダー１を垂直にすることで、マイクロホンＭを垂直で立てた状態で保持することもでき、マイクロホンホルダー１の保持する向きについても特に限定されない。
【００５８】
この例において、マイクロホングリップＧは、防振リング５５，６３によって防振され、保持位置がずれないように滑り止めされているが、マイクロホンホルダー１とマイクロホングリップＧとの間の密着力を高めるため、その間に例えばゴムシートなどの滑り止めシートを介在させて、より確実にマイクロホングリップＧの位置ズレを防止してもよい。
【符号の説明】
【００６０】
１  マイクロホンホルダー
２  ホルダー本体
３  マイクロホンマウンタ
４  ゴム紐
５  保持フレーム
５１，５１  フレーム本体
５２  連結軸
６，６  クランプアーム
６１，６１  アーム本体
６２  連結軸
７  固定手段
７１，７１  凹部
７２，７２  マグネット
【図１】
0005715912.tif 000002
【図２】
0005715912.tif 000003
【図３】
0005715912.tif 000004
【図４】
0005715912.tif 000005